(57)【要約】【課題】簡易な構成で、点光源の発光による光量を有効的に利用することを可能とする。【解決手段】導光体２０１ｋと点光源２０１ｉとの位置関係を規制する位置決め部２０１ｄを光源手段に設けて、光源手段における導光体２０１ｋと点光源２０１ｉとの位置関係が予定された関係となるように位置決め部により直ちに規制し、点光源２０１ｉの発光による光量を有効的に利用可能とするとともに、導光体２０１ｋと点光源２０１ｉとの組立効率を大幅に向上させるように構成したものである。【選択図】図７
2010016499.tif 000002
【特許請求の範囲】
【請求項１】
主走査方向にアレイ配列された複数の点光源と、それら複数の点光源に沿って長尺状に延在する導光体と、を有する光源手段を備え、
前記光源手段により原稿を照射したときの反射光を利用して原稿画像の読取を行うように構成された画像読取装置において、
前記光源手段には、前記導光体と前記点光源との位置関係を規制する位置決め部が設けられていることを特徴とする画像読取装置。
【請求項２】
前記位置決め部は、前記導光体に設けられた光束拡散手段と前記点光源との間の位置関係を主走査方向に規制するように構成されていることを特徴とする請求項１記載の画像読取装置。
【請求項３】
前記位置決め部が、前記導光体の一部に一体的に設けられていることを特徴とする請求項１記載の画像読取装置。
【請求項４】
前記位置決め部を有する一対の導光体が互いに同一形状をなすように形成されたものであって、
それらの同一形状になされた一対の導光体が、副走査方向において対称的に反転させた状態で互いに対面するように配置されていることを特徴とする請求項３記載の画像読取装置。
【請求項５】
前記位置決め部が、複数の点光源の少なくとも一つに対して嵌合される構成になされていることを特徴とする請求項３記載の画像読取装置。
【請求項６】
前記位置決め部が、前記原稿の主走査方向における端縁部よりも外方側の領域に配置されていることを特徴とする請求項５記載の画像読取装置。
【請求項７】
前記位置決め部が嵌合される点光源が、疑似の点光源に形成されていることを特徴とする請求項５記載の画像読取装置。
【請求項８】
請求項１乃至請求項７のいずれかに記載の画像読取装置を備えたことを特徴とする画像形成装置。
【発明の詳細な説明】
【技術分野】
【０００１】
本発明は、複数の点光源を有する光源手段により原稿を照射して原稿画像の読取を行うように構成された画像読取装置及びそれを備えた画像形成装置に関する。
【背景技術】
【０００２】
一般に、複写機、レーザービームプリンタ、ファクシミリ等の画像形成装置やその他の各種装置において、光源手段から射出された原稿読取用の照明光を原稿に照射し、その原稿からの反射光の進路を反射手段により適宜に変更しつつ光学系により集光して光電変換手段に結像させることにより画像の読取を行うように構成された画像読取装置が広く採用されている。
【０００３】
このような画像読取装置において、原稿を照射する光源手段として発光ダイオード（ＬＥＤ）などのような点光源を用いたものが従来から知られている。そのような点光源を用いた画像読取装置においては、複数の点光源が主走査方向に適宜のピッチ間隔をなして直線状にアレイ配列されている。そのため、各点光源から出射された光束を原稿の読取面に対して直接的に照射してしまうと、原稿の読取面に主走査方向の照度分布ムラが生じる。そして、そのような原稿の読取面における照度分布ムラを抑制するために、原稿と点光源との間に、透明樹脂やガラス等からなる導光体が配置されることが行われている。そのような導光体に関しては、従来から、点光源から入射した光束を主走査方向に均一に分散させる多数の微小溝を連続的に形成した光束拡散手段を備えたものなど、種々の提案がなされている（下記の特許文献１等を参照）。
【０００４】
しかしながら、上述したような導光体を用いる場合には、例えば組立工程中において、各点光源に対する導光体の位置関係がずれてしまうおそれがあり、そのような位置ズレを生じると、点光源の発光による光量を有効的に利用することができなくなって、画像読取りの精度低下という問題が発生しかねない。特に、導光体に連続溝のような光束拡散手段を備えている場合には、その光束拡散手段と点光源との位置関係を十分に確保しておかなければ、両部材どうしの間の位置ズレによって、照度分布ムラを増長してしまうおそれがある。
【０００５】
【特許文献１】特開２００２−２１６５２７号公報
【特許文献２】特開２００７−３１７６２１号公報
【発明の開示】
【発明が解決しようとする課題】
【０００６】
本発明は、従来の上記課題を解決するものであり、その目的は、簡易な構成で、点光源の発光による光量を有効的に利用することができるようにした画像読取装置及びそれを備えた画像形成装置を提供することにある。
【課題を解決するための手段】
【０００７】
上記目的を達成するため本発明では、主走査方向にアレイ配列された複数の点光源と、それら複数の点光源に沿って長尺状に延在する導光体と、を有する光源手段を備え、前記光源手段により原稿を照射したときの反射光を利用して原稿画像の読取を行うように構成された画像読取装置において、前記光源手段には、前記導光体と前記点光源との位置関係を規制する位置決め部が設けられている。
【０００８】
このような構成を有する本発明によれば、前記光源手段における導光体と点光源との位置関係が、位置決め部によって予定された関係となるように直ちに規制されることとなるため、点光源の発光による光量が有効的に利用されるとともに、導光体と点光源との組立効率が大幅に向上されるようになっている。
【０００９】
また、本発明における位置決め部は、前記導光体に設けられた光束拡散手段と前記点光源との間の位置関係を主走査方向に規制するように構成されることが可能である。
【００１０】
このような構成を有する本発明によれば、導光体と点光源との位置関係に止まらず、光束拡散手段と点光源との位置関係が良好な位置関係になされるため、点光源の発光による光量がより一層有効利用される。
【００１１】
また、本発明においては、前記位置決め部が、前記導光体の一部に一体的に設けられることが可能である。
【００１２】
このような構成を有する本発明によれば、導光体と同時に位置決め部を形成することができるため、より簡易な構成が実現される。
【００１３】
また、本発明においては、前記位置決め部を有する一対の導光体が互いに同一形状をなすように形成されたものであって、それらの同一形状になされた一対の導光体が、副走査方向において対称的に反転させた状態で互いに対面するように配置された構成とすることが可能である。
【００１４】
このような構成を有する本発明によれば、一対の導光体が同一形状で形成されるため、部品点数が実質的に減じられるとともに、一方の導光体の位置決め部に対向配置された他方の導光体からの光束が、上記一方の導光体の位置決め部に照射されることによって、このような位置決め部を設けたことによる原稿照明への影響が低減される。
【００１５】
また、本発明においては、前記位置決め部が、複数の点光源の少なくとも一つに対して嵌合される構成とすることが可能である。
【００１６】
このような構成を有する本発明によれば、複数の点光源の一つに導光体を嵌合させるという簡易な手法によって導光体全体の位置合わせが、容易かつ高精度に行われるようになっている。
【００１７】
また、本発明においては、前記位置決め部が、前記原稿の主走査方向における端縁部よりも外方側の領域に配置されている構成とすることが可能である。
【００１８】
このような構成を有する本発明によれば、位置決め部を設けた部位からの光束が原稿側に届かなくなるために、位置決め部を設けたことによる原稿照明への影響が大幅に低減される。
【００１９】
また、本発明においては、前記位置決め部が嵌合される点光源が、疑似の点光源に形成された構成とすることが可能である。
【００２０】
このような構成を有する本発明によれば、位置決め部が嵌合される点光源が安価に形成されるとともに、位置決め部が嵌合される点光源による原稿照明への影響が低減されるようになっている。
【００２１】
また、本発明では、上述したいずれかに記載の画像読取装置を備えた画像形成装置とすることが可能であり、このような構成を有する本発明によれば、画像形成装置において同様な作用が得られる。
【発明の効果】
【００２２】
以上述べたように本発明にかかる画像読取装置及びそれを備えた画像形成装置は、導光体と前記点光源との位置関係を規制する位置決め部を光源手段に設けて、光源手段における導光体と点光源との位置関係が予定された関係となるように位置決め部により直ちに規制し、点光源の発光による光量を有効的に利用可能とするとともに、導光体と点光源との組立効率を大幅に向上させるように構成したものであるから、簡易な構成で、点光源の発光による光量を有効的に利用することができ、画像読取装置及びそれを備えた画像形成装置の生産性及び信頼性の双方を高めることができる。
【発明を実施するための最良の形態】
【００２３】
以下、画像読取装置及びそれを備えた画像形成装置としての複写機に本発明を適用した実施形態を図面に基づいて詳細に説明する。
【００２４】
先ず、本発明を適用した複写機の全体構成は、図１に示されているように、画像形成装置本体Ａの各部に、スキャナ部Ｂ、画像形成部Ｃ及びシートデッキＤを備えたものとなっている。画像形成装置本体Ａの上部に配置されたスキャナ部Ｂは、ブック原稿の画像情報を読み取る画像読取装置を構成するものであるが、そのスキャナ部Ｂの下部側に画像形成手段となる画像形成部Ｃが配置され、さらにその画像形成部Ｃの下部側にシートデッキＤが組み付けられている。
【００２５】
前記スキャナ部（画像読取装置）Ｂは、本発明にかかる一体型照明光学ユニット２０１がプラテンガラス２０２の直下で往復移動されるように構成されており、前記プラテンガラス２０２上に、本や記録紙等からなるブック原稿又はシート状原稿などが原稿面を下向きにして載置された後に、画像形成装置本体Ａに対して開閉可能な原稿圧板２０３により背面を押圧して静止状態にセットが行われるようになっている。その状態でユーザが読取スタートキー（図示省略）を押すと、上述した一体型照明光学ユニット２０１がプラテンガラス２０２の下部を矢印ａ方向に移動して読取走査が行われて原稿面の画像情報が読み取られる。
【００２６】
上記一体型照明光学ユニット２０１により読み取られた原稿の画像情報は、画像処理部において処理され、電気信号に変換されてから画像形成部Ｃのレーザスキャナ１１１に伝送される。ここで、画像形成装置本体Ａは、画像形成部Ｃのレーザスキャナ１１１に画像処理部の処理信号を入力すれば複写機として機能し、外部装置（コンピュータ）の出力信号を入力すればプリンタとして機能する。また、画像形成装置本体Ａは、他のファクシミリ装置からの信号を受信したり、画像処理部の信号を他のファクシミリ装置に送信したりすれば、ファクシミリ装置としても機能する。
【００２７】
一方、上述した画像形成部Ｃの下部にはシートカセット１が装着されている。このシートカセット１は、下段カセット１ａと上段カセット１ｂの２個で１つの給送ユニットを構成しており、本実施形態では、２つの給送ユニットＵ１及びＵ２による計４個のカセットが装着可能になされている。そして、上方側に配置された１つの給送ユニットＵ１は、前記画像形成装置本体Ａに対して着脱可能に取り付けられ、下方側の給送ユニットＵ２は、シートデッキＤに対して着脱可能に取り付けられている。
【００２８】
このような下段カセット１ａ及び上段カセット１ｂの内部に収容されたシート状記録媒体（用紙）は、給送回転体となるピックアップローラ３により繰り出され、フィードローラ４とリタードローラ５との協動作用により１枚ずつ分離・給送された後、搬送ローラ１０４、１０５によってレジストローラ１０６まで搬送され、該レジストローラ１０６によって後述する画像形成動作に同期するようにして画像形成部Ｃへと給送される。また、前述したシートカセット１とは別に、手差しトレイ６が画像形成装置本体Ａの側面に配置されており、手差しトレイ６上のシートは手差し給紙ローラ７により、レジストローラ１０６へと繰り出される。
【００２９】
また、前記画像形成部Ｃは、電子写真感光ドラム１１２、画像書き込み光学系１１３、帯電ローラ１１６、現像器１１４及び転写帯電器１１５等を備えた構成になされている。そして、帯電ローラ１１６により一様に帯電された感光体ドラム１１２の表面に、レーザスキャナ１１１から射出された画像情報に対応するレーザ光が画像書き込み光学系１１３により走査されて静電潜像が形成され、その静電潜像が現像器１１４により現像されることによりトナー像が形成される。その感光体ドラム１１２上のトナー像は、当該感光体ドラム１１２の回転に同期して上記レジストローラ１０６から送り出されたシート状記録媒体（用紙）の第１面に、転写帯電器１１５が配置された転写部で転写されるようになっている。
【００３０】
ここで、図中の符号１１７は、上述したようにしてトナー像を形成されたシート状記録媒体を搬送する搬送部を示し、また符号１１８及び１１９は、定着装置及び排出ローラをそれぞれ示している。上記搬送部１１７は、トナー像を形成された被加熱材としてのシート状記録媒体（記録用紙）を搬送可能とする構成になされていて、トナー像を形成されたシート状記録媒体は、上記搬送部１１７により定着装置１１８に搬送され、そこで加熱及び加圧が行われることによってトナー像が表面に定着された後、排出ローラ１１９によって機外の排紙トレイ１２０に向かって排出され積載される構成になされている。
【００３１】
また、シート状記録媒体（記録用紙）の両面に画像を記録する場合には、定着装置１１８から排出されたシート状記録媒体が排出ローラ１１９に挟持されて当該シート状記録媒体の後端が分岐点２０７を通過した時点で上記排出ローラ１１９が逆転方向に回転駆動される。それにより上記シート状記録媒体は両面トレイ１２１上に一旦載置され、その後に搬送ローラ１０４、１０５により搬送されてレジストローラ１０６に到達し、その反転されたシート状記録媒体の第２面に上述と同様にして画像が形成された後、排紙トレイ１２０に排出・積載される構成になされている。
【００３２】
［スキャナ部（画像読取装置）Ｂについて］
ここで、本発明の要部であるスキャナ部（画像読取装置）Ｂの構成について説明する。スキャナ部Ｂは、特に図２に示されているような平面略矩形状の枠体を有しているとともに、その枠体における副走査方向両端部分に配置された両側枠Ｂ１，Ｂ１どうしの間に、丸棒状をなす一対のメイン走査用支軸Ｂ２及びサブ走査用支軸Ｂ２’が、副走査方向に掛け渡すようにして略平行状態で取り付けられている。一方のメイン走査用支軸Ｂ２には、前述した一体型照明光学ユニット２０１を構成している筐体シャーシ２０１ａの底面部に設けられた摺動軸受２０１ｂが摺動自在に装着されているとともに、他方のサブ走査用支軸Ｂ２’には、前記筐体シャーシ２０１ａの底面部が摺動自在に載置されている。
【００３３】
このように、後述する原稿読取用の照明光を射出する光源手段を内部に備えた筐体シャーシ２０１ａが、当該筐体シャーシ２０１ａに設けられた摺動軸受２０１ｂを介して、副走査方向に延在するメイン走査用支軸Ｂ２に往復移動可能に取り付けられており、それによって上記一体型照明光学ユニット２０１の全体が、前記プラテンガラス２０２の下方側において副走査方向に往復移動される構成になされている。
【００３４】
一方、前記メイン走査用支軸Ｂ２の近傍に沿って延在するようにして無端環状の駆動ベルトＢ３が張設されている。その駆動ベルトＢ３の途中部分には、上述した一体型照明光学ユニット２０１の筐体シャーシ２０１ａが固定されている。上記無端環状の駆動ベルトＢ３は、プーリＢ４を介してモータＢ５の出力軸に掛け回されており、前記モータＢ５の回転駆動力により上記駆動ベルトＢ３が循環されるようにして移動される構成になされている。そして、その駆動ベルトＢ３の循環移動によって前記一体型照明光学ユニット２０１が前記両走査用支軸Ｂ２，Ｂ２’に沿って往復移動され、そのときに前記プラテンガラス２０２上の原稿面に対する読取が行われる構成になされている。
【００３５】
前記一体型照明光学ユニット２０１を構成している筐体シャーシ２０１ａは、図３及び図４にも示されているように、副走査方向に直交する主走査方向である原稿幅方向（図１の紙面垂直方向）に沿って細長状に延在している。この筐体シャーシ２０１ａは、上部に開口部を備えた中空箱状をなすように形成されたものであって、当該筐体シャーシ２０１ａの上部開口部を覆うようにして保持部材としてのカバー部材２０１ｃが取り付けられている。
【００３６】
その保持部材としてのカバー部材２０１ｃは、金属材やセラミック材等の良熱伝導体からなる板状部材により形成されたものであって、後述する反射手段としてのミラー２０１ｍ，２０１ｎ，２０１ｐ，２０１ｑ，２０１ｒ（図４参照）による反射領域の上部に配置されており、前記各ミラーによる反射領域に加えて、後述する結像光学系及びＣＣＤセンサ（光電変換手段）２０１ｓに対して、前記原稿面からの反射光束以外の外部光を侵入させないように前記シャーシ２０１ｂの上部全体をほぼ覆うように配置されている。このように本実施形態における保持部材は、一体型照明光学ユニットの内部に侵入する外部光を遮蔽するカバー部材２０１ｃにより構成されている。
【００３７】
また、前記カバー部材（保持部材）２０１ｃには、特に図５及び図６に示されているように、段差状に窪む一対の光源取付面２０１ｈ，２０１ｈが、主走査方向である原稿幅方向（図１の紙面垂直方向）に延在するように形成されている。これら一対の光源取付面２０１ｈ，２０１ｈは、副走査方向において互いに対面するように形成されており、それら光源取付部２０１ｈ，２０１ｈの段差を構成している立上り壁面に対して、照明光を射出する光源手段を構成する多数の点光源からなるＬＥＤアレイ２０１ｉ，２０１ｉが取り付けられている。それらのＬＥＤアレイ２０１ｉ，２０１ｉは、点光源である微小発光ダイオードが主走査方向に沿ってアレイ配列された構成からなるものであり、それらの各ＬＥＤアレイ２０１ｉ，２０１ｉに設けられた発光面２０１ｊ，２０１ｊが、副走査方向において互いに対向し合う配置関係になされている。このように本実施形態においては、光源手段が、カバー部材２０１ｃからなる所定の保持部材上にアレイ配列された複数の点光源であるＬＥＤアレイ２０１ｉ，２０１ｉを有しているとともに、その保持部材としてのカバー部材２０１ｃは、少なくとも前記各点光源である発光ダイオードに対面する部位が良熱伝導部材により形成されている。
【００３８】
さらに、前記各ＬＥＤアレイ２０１ｉ，２０１ｉの発光面２０１ｊ，２０１ｊ側には、当該光源手段としてのＬＥＤアレイ２０１ｉ，２０１ｉから射出される照明光が入射される一対の導光体２０１ｋ，２０１ｋが、前記ＬＥＤアレイ２０１ｉ，２０１ｉの発光面２０１ｊ，２０１ｊに接触するように配置されている。これらの導光体２０１ｋ，２０１ｋは、上記ＬＥＤアレイ２０１ｉ，２０１ｉから入射する照明光を所定方向に出射させて原稿の照射を行うように構成されたものものであって、主走査方向である原稿幅方向に沿って延在する細長状の透明体から形成されており、前記各ＬＥＤアレイ２０１ｉ，２０１ｉの発光面２０１ｊ，２０１ｊを前面側から覆うように配置されている。このような導光体２０１ｋ，２０１ｋが配置されていることにより、前記各ＬＥＤアレイ２０１ｅからなる各点光源から射出された照明光は、前記プラテンガラス２０２上の原稿の表面に向かって出射されることとなる。
【００３９】
このとき、上述した一対の導光体２０１ｋ，２０１ｋは、上述したＬＥＤアレイ２０１ｉ，２０１ｉを構成している点光源に対して接触するように配置されている。すなわち、上記一対の導光体２０１ｋ，２０１ｋどうしの間には、特に図７に示されているような押圧部材２０１ｌ，２０１ｌが、当該ＬＥＤアレイ２０１ｉの延在方向の両端部分において外方側から嵌め込まれるようにして装着されている。これらの各押圧部材２０１ｌの主走査方向における幅寸法は、前記導光体２０１ｋ，２０１ｋどうしの間隔よりも僅かに大きくなるように設定されており、そのようなやや幅広をなすように形成された押圧部材２０１ｌが、前記両導光体２０１ｋ，２０１ｋどうしの間に圧入状態で挿入されることによって、前記両導光体２０１ｋ，２０１ｋが前記ＬＥＤアレイ２０１ｉ，２０１ｉの発光面２０１ｊ，２０１ｊに対して押し付けられるようにして接触されている。これによって、前記各ＬＥＤアレイ２０１ｉ，２０１ｉは、前記カバー部材２０１ｃの光源取付面２０１ｈ，２０１ｈに対して積極的に接触させられた状態で固定される。
【００４０】
そして、上述したような各ＬＥＤアレイ２０１ｉから出射されて導光体２０１ｋを通して射出された照明光の光束は、前記カバー部材（保持部材）２０１ｃの上方部分に配置されたプラテンガラス２０２上の原稿面に照射され、その原稿面で反射された光束は、前記シャーシ２０１ｂの内壁面側に取り付けられた反射手段としてのミラー２０１ｍ，２０１ｎ，２０１ｐ，２０１ｑ，２０１ｒによって反射させられ、その後に、前記原稿からの反射光を光電変換手段に結像させる光学系、すなわち、図示を省略した結像レンズ等からなる光学系によって、光電変換手段であるＣＣＤセンサ２０１ｓに適宜の倍率で原稿画像が結像されて受光が行われ、原稿画像の読取が完了されるようになっている。
【００４１】
このとき、上述したように前記導光体２０１ｋの光学的機能によって照明の方向が制御されていることから、前記カバー部材２０１ｃを構成している板金の形成精度が低下していることなどにより、例えば当該導光体２０１ｋとＬＥＤアレイ２０１ｅとの間に多少の隙間が空いてしまったような場合であっても、その導光体２０１ｋの光学的機能により読取光量が大幅に低下するような事態を生じることはない。
【００４２】
前述したように本実施形態における一体型照明光学ユニット２０１は、主走査方向にアレイ配列された複数の点光源としてのＬＥＤアレイ２０１ｉと、それら複数の点光源としてのＬＥＤアレイ２０１ｉに沿って長尺状に延在する導光体２０１ｋとを有する光源手段を備えたものであって、その光源手段により原稿を照射したときの反射光を利用して原稿画像の読取を行う構成になされたものである。そして、そのような一体型照明光学ユニット２０１の光源手段には、前記導光体２０１ｋと、点光源としてのＬＥＤアレイ２０１ｉとの位置関係を規制する位置決め部が設けられている。以下において、その位置決め部に関する構成を説明する。
【００４３】
本実施形態にかかる位置決め部は、前記導光体２０１ｋの一部に一体的に設けられていて、具体的には、長尺状に延在する導光体２０１ｋの主走査方向における片側の外端部分に位置決め部２０１ｄが配置されている。すなわち、当該位置決め部２０１ｄは、複数のＬＥＤアレイ２０１ｉのうちの主走査方向の最外端位置に配置されているＬＥＤアレイ２０１ｉの発光面２０１ｊを含む光束出射側の外表面形状を反転した凹箱形状をなすように形成されており、発光面２０１ｊを含む光束の出射側から被せられるようにして嵌合されている。それによって、ＬＥＤアレイ２０１ｉと導光体２０１ｋの全体が主走査方向に位置決めされることとなって、前記ＬＥＤアレイ２０１ｉと導光体２０１ｋとの位置関係を主走査方向に規制するように構成されている。
【００４４】
このとき、本実施形態におけるＬＥＤアレイ２０１ｉは、原稿の主走査方向の幅寸法よりも長くなるように形成されており、そのような長尺状のＬＥＤアレイ２０１ｉに対して前記位置決め部２０１ｄは、原稿の主走査方向における端縁部よりも外方側の領域に配置されている。
【００４５】
またこのときの位置決め部２０１ｄは、複数の点光源としてのＬＥＤアレイ２０１ｉの少なくとも一つに対して嵌合される構成になされていればよく、２つ以上のＬＥＤアレイ２０１ｉに対して嵌合するように位置決め部を設けることも可能である。
【００４６】
さらに、本実施形態における導光体２０１ｋの発光面２０１ｊ，２０１ｊには、図示を省略した多数の微小溝を連続的に形成したものなどからなる光束拡散手段が設けられている。それらの光束拡散手段は、前記点光源としてのＬＥＤアレイ２０１ｉから入射した光束を主走査方向に均一に分散させる機能を備えたものであるが、その導光体２０１ｋに設けられた光束拡散手段と前記点光源としてのＬＥＤアレイ２０１ｉとの間の位置関係を主走査方向に規制するように前記位置決め部２０１ｄは構成されている。
【００４７】
上述したような構成からなる位置決め部２０１ｄを有する導光体２０１は、副走査方向に互いに対面するように配置されているが、本実施形態における位置決め部２０１ｄを有する一対の導光体２０１ｋ，２０１ｋは、互いに同一形状をなすように形成されたものであって、それら同一形状になされた一対の導光体２０１ｋ，２０１ｋが、副走査方向において対称的に反転させた状態で互いに対面するように配置されている。
【００４８】
このような構成を有する本実施形態によれば、前記光源手段における導光体２０１ｋと点光源としてのＬＥＤアレイ２０１ｉとの位置関係が、導光体２０１ｋに設けられた位置決め部２０１ｄによって予定された関係となるように直ちに規制されることとなるため、ＬＥＤアレイ２０１ｉの発光による光量が有効的に利用されるとともに、導光体２０１ｋとＬＥＤアレイ２０１ｉとの組立効率が大幅に向上されるようになっている。
【００４９】
また、本実施形態によれば、導光体２０１ｋとＬＥＤアレイ２０１ｉとの位置関係に止まらず、光束拡散手段とＬＥＤアレイ２０１ｉとの位置関係が良好な位置関係になされるため、ＬＥＤアレイ２０１ｉの発光による光量がより一層有効利用される。
【００５０】
また、本実施形態においては、前記位置決め部２０１ｄが導光体２０１ｋの一部に一体的に設けられていることから、導光体２０１ｋと同時に位置決め部２０１ｄを形成することができ、より簡易な構成が実現される。
【００５１】
さらに本実施形態においては、前記位置決め部２０１ｄを有する一対の導光体２０１ｋ，２０１ｋが互いに同一形状をなすように形成され、それらの同一形状になされた一対の導光体２０１ｋ，２０１ｋが、副走査方向において対称的に反転させた状態で互いに対面するように配置された構成になされ、一対の導光体２０１ｋ，２０１ｋが同一形状で形成されることから、部品点数が実質的に減じられる。また、一方の導光体２０１ｋの位置決め部２０１ｄに対向配置された他方の導光体２０１ｋからの光束が、上記一方の導光体２０１ｋの位置決め部２０１ｄに照射されることによって、このような位置決め部２０１ｄを設けたことによる原稿照明への影響が低減される。
【００５２】
また、本実施形態においては、位置決め部２０１ｄが複数のＬＥＤアレイ２０１ｉの少なくとも一つに対して嵌合される構成になされていることから、複数のＬＥＤアレイ２０１ｉの一つに導光体２０１ｋを嵌合させるという簡易な手法によって導光体２０１ｋ全体の位置合わせが、容易かつ高精度に行われるようになっている。
【００５３】
また、本実施形態における位置決め部２０１ｄは、原稿の主走査方向における端縁部よりも外方側の領域に配置されていることから、位置決め部２０１ｄを設けた部位からの光束が原稿側に届かなくなり、それによって位置決め部２０１ｄを設けたことによる原稿照明への影響が大幅に低減されるようになっている。
【００５４】
また、位置決め部２０１ｄが嵌合されるＬＥＤアレイ２０１ｉが、疑似のＬＥＤアレイ２０１ｉに形成された構成とした場合には、位置決め部２０１ｄが嵌合されるＬＥＤアレイ２０１ｉが安価に形成されるとともに、位置決め部２０１ｄが嵌合されるＬＥＤアレイ２０１ｉによる原稿照明への影響が低減されるようになっている。
【００５５】
以上、本実施形態者によってなされた本発明の実施形態を具体的に説明したが、本実施形態は上記実施形態に限定されるものではなく、その要旨を逸脱しない範囲で種々変形可能であることはいうまでもない。
【００５６】
例えば、上述した実施形態においては、位置決め部を導光体に一体的に設けているが、導光体とは別個に位置決め部を設けるようにしても良い。
【００５７】
また、上述した実施形態での光源手段を構成している点光源としてＬＥＤアレイを採用しているが、冷陰極管やキセノン管を使った光源手段や、導光体の側面からＬＥＤを照射する方式の光源手段等のような種々の光源手段が採用可能である。
【００５８】
さらに上述した実施形態は、読取時に一体型照明光学ユニットを移動させる方式のものであるが、照明光学ユニットが移動を行わずに原稿の搬送によって原稿を読取る方式であっても本発明は同様に適用することができ、原稿搬送によるスムーズな走査によって読取位置の停止精度が安定し、原稿搬送装置との読取位置精度を向上させることができる。また、光源手段のみを有する照明光学ユニットに対しても本発明は同様に適用することができる。
【００５９】
さらに、上述した実施形態は、複写機に対して本発明を適用したものであるが、プリンタ等の画像形成装置、あるいはその他の装置に対しても本実施形態は同様に適用することができる。
【産業上の利用可能性】
【００６０】
以上述べたように本実施形態にかかる画像読取装置及びそれを備えた画像形成装置は、プリンタや複写機などの多種多様な画像形成装置やその他の装置に対して広く適用することが可能である。
【図面の簡単な説明】
【００６１】
【図１】本実施形態を適用する画像形成装置の一例としての複写機の全体構成の概略を表した縦断面説明図である。
【図２】図１に表された複写機に用いられている画像読取装置からカバーを取り外した状態の全体構造を表した外観斜視説明図である。
【図３】図２に表された画像読取装置に用いられている一体型照明光学ユニットの外観斜視説明図である。
【図４】図２及び図３に表された一体型照明光学ユニットの内部構造を表した横断面説明図である。
【図５】図２乃至図４に表された一体型照明光学ユニットの上面部分の一部を拡大して表した外観斜視説明図である。
【図６】図２乃至図５に表された一体型照明光学ユニットの上面部分の一部を拡大して表した横断面説明図である。
【図７】図２乃至図６に表された一体型照明光学ユニットに用いられている導光体の光源接触側に設けられた位置決め部を拡大して表した外観斜視説明図である。
【符号の説明】
【００６２】
Ａ        画像形成装置本体
Ｂ        スキャナ部（画像読取装置）
Ｂ１      両側枠
Ｂ２      メイン走査用支軸
Ｂ２’    サブ走査用支軸
Ｂ３      無端環状ベルト
Ｂ４      プーリ
Ｂ５      モータ
Ｃ        画像形成部
Ｄ        シート状記録媒体デッキ
Ｒ        画像転写部
Ｎ        定着ニップ部
１１２    感光ドラム
１１５    転写ローラ
１１８    定着装置
２０１    一体型照明光学ユニット
２０１ａ  筐体シャーシ
２０１ｂ  摺動軸受
２０１ｃ  カバー部材（保持部材）
２０１ｄ  位置決め部
２０１ｈ  光源取付面
２０１ｉ  ＬＥＤアレイ（点光源）
２０１ｊ  発光面
２０１ｋ  導光体２０１
２０１ｌ  押圧部材
２０１ｍ，２０１ｎ，２０１ｐ，２０１ｑ，２０１ｒ  ミラー
２０１ｓ  ＣＣＤセンサ（光電変換手段）
２０２    プラテンガラス
【図１】
2010016499.tif 000003
【図２】
2010016499.tif 000004
【図３】
2010016499.tif 000005
【図４】
2010016499.tif 000006
【図５】
2010016499.tif 000007
【図６】
2010016499.tif 000008
【図７】
2010016499.tif 000009